(57)【要約】【課題】記録部に記録される光相関用データの高密度化と光相関演算の精度の確保とを両立する可能な光相関システムを提供する。【解決手段】本発明に係る光相関システムは、複数の光演算用データが光学的に記録された記録媒体を有する記録部と、前記光演算用データと入力データとの光相関演算を行い、前記光演算用データと前記入力データとの相関度に応じた光相関信号を生成する光相関演算部と、前記光相関信号を受光し、前記光演算用データと前記入力データとの相関度を算出する相関度算出部と、を備え、前記記録媒体において隣り合う前記光演算用データ同士の相関度は低く、例えば０％以上５０％以下である。【選択図】図４
2019175524.tif 000002
【特許請求の範囲】
【請求項１】
複数の光演算用データが光学的に記録された記録媒体を有する記録部と、
前記光演算用データと入力データとの光相関演算を行い、前記光演算用データと前記入力データとの相関度に応じた光相関信号を生成する光相関演算部と、
前記光相関信号を受光し、前記光演算用データと前記入力データとの相関度を算出する相関度算出部と、
を備え、
前記記録媒体において隣り合う前記光演算用データ同士の相関度が低い、
光相関システム。
【請求項２】
前記記録部は、前記光演算用データの情報を含むデータ光と参照光とを集光させて前記記録媒体に照射するレンズをさらに有する、
請求項１に記載の光相関システム。
【請求項３】
前記相関度算出部は、前記記録媒体において隣り合う前記光演算用データの中心位置同士の離間距離に応じた前記光相関信号の変化量を予め算出し、前記変化量に基づいて前記相関度を補正する相関度補正部をさらに有する、
請求項１又は請求項２に記載の光相関システム。
【請求項４】
前記複数の光演算用データが前記記録部へ読み出される順に並べられたデータベース部をさらに備え、
前記データベース部において、順次並べられた複数の前記光演算用データの前後の前記光演算用データ同士のデジタル照合による相関度に応じて複数の前記光演算用データが逐次並べ替えられる、
請求項１から請求項３の何れか一項に記載の光相関システム。
【請求項５】
光相関システムにおける記録媒体に光相関用データを記録する光相関用データの記録方法であって、
前記記録媒体に複数の前記光相関用データを光学的に順次記録する際に、記録順の前後の前記光演算用データ同士の相関度を０％以上５０％以下とするステップを備える、光相関用データの記録方法。
【発明の詳細な説明】
【技術分野】
【０００１】
本発明は、光相関システム及び光相関用データの記録方法に関する。
【背景技術】
【０００２】
近年、違法動画の検出、個人認証・パターン識別をはじめとするあらゆる分野において、膨大なデータの高速相関演算の需要が高まっている。既存の高速相関演算技術では、大容量データと相関演算する場合、ハードディスクドライブ（ＨＤＤ）等を備えた記録部からデータを読み出して演算部に転送する際の転送速度がボトルネックになっていた。
【０００３】
上述のボトルネックを解消するために、記録部へのデータの書き込み及び読み出しと、入力されたデータと記録メモリから読み出されたデータとの相関演算とを光で行う光相関システムが検討されている。例えば、特許文献１には、超大規模データを光相関演算に適した学習モデルとし、超大規模データからの任意の多次元パターンに関する識別を超高速に行うパターン識別装置が開示されている。
【先行技術文献】
【特許文献】
【０００４】
【特許文献１】国際公開第２０１７／１４１９９７号
【発明の概要】
【発明が解決しようとする課題】
【０００５】
特許文献１に開示されているパターン識別装置では、記録部として、ホログラムで光相関用データを記録可能なホログラフィック光ディスクが用いられている。このホログラフィック光ディスクには、所定の前処理が施された参照データの情報を含む光（以下、参照データ光という）がレンズによって集光しつつ、照射される。ホログラフィック光ディスクには、参照データ光と参照光が重なった部分に干渉縞が形成され、レンズによって集光とともにフーリエ変換された干渉縞が空間周波数フィルターとして書き込まれる。ホログラフィック光ディスクが周方向に回転駆動されると、ホログラフィック光ディスクの記録領域には、周方向に沿って、フーリエ変換されたスポット状の干渉縞（光演算用データ）が複数記録される。
【０００６】
特許文献１に開示されているパターン識別装置のように、記録部に光演算用データを光学的に複数記録する方式において、さらなる大容量化を図るためには、スポット状の光演算用データ同士の周方向の間隔を短くすればよい。しかしながら、特許文献１に開示されているパターン識別装置では、光演算用データ同士の間隔を短くして記録密度を高くすると、参照データと入力データとの相関信号が周方向において隣り合う参照データと入力データとの相関信号に影響を受け、相関信号の劣化が発生し、相関演算の精度が低下するという問題があった。すなわち、特許文献１に開示されているパターン識別装置では、記録部に記録される光演算用データの高密度化と光相関演算の精度の確保とを両立することが難しいという問題があった。
【０００７】
本発明は、上述の問題を解決するためになされたものであって、記録部に記録される光相関用データの高密度化と光相関演算の精度の確保とを両立する可能な光相関システム及び光相関用データの記録方法を提供する。
【課題を解決するための手段】
【０００８】
本発明に係る光相関システムは、複数の光演算用データが光学的に記録された記録媒体を有する記録部と、前記光演算用データと入力データとの光相関演算を行い、前記光演算用データと前記入力データとの相関度に応じた光相関信号を生成する光相関演算部と、前記光相関信号を受光し、前記光演算用データと前記入力データとの相関度を算出する相関度算出部と、を備え、前記記録媒体において隣り合う前記光演算用データ同士の相関度が低いことを特徴とする。
なお、隣り合う光演算用データ同士の相関度が低いとは、隣り合う光演算用データのそれぞれに対する光相関演算を行ったときに光相関信号が良好に識別できる状態を表し、例えば隣り合う光演算用データ同士の相関度が０％以上５０％以下であることが好ましく、０％より大きく４０％以下であることがより好ましく、１０％以上３０％以下であることがさらに好ましい。
【０００９】
本発明に係る光相関システムでは、前記記録部は、前記光演算用データの情報を含むデータ光と参照光とを集光させて前記記録媒体に照射するレンズをさらに有してもよい。
【００１０】
本発明に係る光相関システムでは、前記相関度算出部は、前記記録媒体において隣り合う前記光演算用データの中心位置同士の離間距離に応じた前記光相関信号の変化量を予め算出し、前記変化量に基づいて前記相関度を補正する相関度補正部をさらに有してもよい。
【００１１】
本発明に係る光相関システムでは、前記複数の光演算用データが前記記録部へ読み出される順に並べられたデータベース部をさらに備え、前記データベース部において、順次並べられた複数の前記光演算用データの前後の前記光演算用データ同士のデジタル照合による相関度に応じて複数の前記光演算用データが逐次並べ替えられてもよい。
【００１２】
本発明に係る光相関用データの記録方法は、光相関システムにおける記録媒体に光相関用データを記録する光相関用データの記録方法であって、前記記録媒体に複数の前記光相関用データを光学的に順次記録する際に、記録順の前後の前記光演算用データ同士の相関度を低くするステップを備えることを特徴とする。
なお、記録順の前後の光演算用データ同士の相関度が低いとは、前後の光演算用データのそれぞれに対する光相関演算を行ったときに光相関信号が良好に識別できる状態を表し、例えば前後の光演算用データ同士の相関度が０％以上５０％以下であることが好ましく、０％より大きく４０％以下であることがより好ましく、１０％以上３０％以下であることがさらに好ましい。
【発明の効果】
【００１３】
本発明によれば、記録部に記録される光相関用データの高密度化と光相関演算の精度の確保とを両立できる。
【図面の簡単な説明】
【００１４】
【図１】本発明に係る一実施形態の光相関システムの概略図である。
【図２】図１に示す光相関システムにおける参照データの記録の様子を説明する概略図である。
【図３】図１に示す光相関システムにおける照合の様子を説明する概略図である。
【図４】本発明に係る一実施形態の光相関用データの記録方法を説明するための模式図である。
【図５】本発明に係る一実施形態の光相関用データの記録方法について数値シミュレーションを行った結果を示すグラフであり、ホログラフィック光ディスクで隣り合う参照データ同士の離間距離と相関度による光相関信号の光強度の変化を示すグラフである。
【図６】本発明に係る一実施形態の光相関システムを適用可能なパターン識別装置の概略図である。
【発明を実施するための形態】
【００１５】
以下、本発明に係る光相関システム及び光相関用データの記録方法の実施形態について、図面を参照して説明する。
【００１６】
［光相関システムの構成］
図１に示すように、本発明に係る一実施形態の光相関システム３４０は、少なくとも複数の光演算用データが光学的に記録されたホログラフィック光ディスク（記録媒体）３５６を有する記録照合部（記録部）５０１と、ホログラフィック光ディスク３５６から読み出された光演算用データと入力データとの光相関演算を行い、光演算用データと入力データとの相関度に応じた光相関信号を生成する光相関演算部５０２と、光相関信号を受光し、光演算用データと入力データとの相関度を算出する相関度算出部５０３と、を備える。本実施形態では、記録照合部５０１が光相関演算部５０２としても機能する。
【００１７】
光相関システム３４０において、記録用光源３４１は、高速に回転するホログラフィック光ディスク３５６に対して後述するホログラムを精密に記録するためにパルスレーザーであることが好ましく、本実施形態では中心波長５３２ｎｍの緑色光ＧＬ１を発するＱスイッチレーザーである。照合用光源３５７は、連続して照合を行うことを可能とするために連続発振レーザー（ＣＷレーザー）であることが好ましく、本実施形態では記録用光源３４１と同じ中心波長５３２ｎｍの緑色光ＧＬ２を発するＣＷレーザーである。
【００１８】
記録用光源３４１及び照合用光源３５７から出射された緑色光ＧＬ１，ＧＬ２は、ビームエキスパンダー３４２，３５８を通って拡大され、λ／４板３４３，３５９を通り、緑色光ＧＬ１のみミラー３４４で折り返され、偏光ビームスプリッター３４５で合わせられる。偏光ビームスプリッター３４５から出射した緑色光ＧＬ１，ＧＬ２は、λ／４板３４６を通り、偏光ビームスプリッター３４７によって反射され、空間光変調器３４８に入射する。λ／４板３４６と偏光ビームスプリッター３４５との間にシャッター３６９が設けられ、記録時にはシャッター３６９によって緑色光ＧＬ１が遮断され、照合時にはシャッター３６９によって緑色光ＧＬ２が遮断される。
【００１９】
空間光変調器３４８は、光相関用データを表示可能である。記録時には、空間光変調器３４８に参照データ（光相関用データ）が表示され、照合時には、空間光変調器３４８に照合データ（入力データ、光相関用データ）が表示される。参照データの前処理等については、後述する。空間光変調器３４８には、光相関システム３４０で照合される複数の参照データが収容されたコンピュータ等からなるデータベース部８００と、照合対象である照合データを空間光変調器３４８に送信する照合データ入力部８０５が接続されている。すなわち、前述のように記録時に空間光変調器３４８に表示される参照データは、データベース部８００から読み出される。照合時に空間光変調器３４８に表示される照合データは、照合データ入力部８０５から送信される。
【００２０】
空間光変調器３４８から反射された緑色光ＧＬ１，ＧＬ２は、光相関用データに関する情報を有し、偏光ビームスプリッター３４７、レンズ３４９、偏光ビームスプリッター３５０、λ／４板３５２、レンズ３５３、回折ビームスプリッター３５４を順に通り、記録照合部５０１に入射する。
【００２１】
記録照合部５０１は、入射する緑色光ＧＬ１，ＧＬ２をの光照射側の表面３５６ａからホログラフィック光ディスク３５６に照射するためのアクチュエーター３５５を有する。アクチュエーター３５５は、ミラー３７１とレンズ３７２とを備える。前述のように記録照合部５０１に入射した緑色光ＧＬ１，ＧＬ２は、ミラー３７１で反射され、レンズ３７２によってホログラフィック光ディスク３５６の厚み方向の所定の位置に集光する。
【００２２】
光相関システム３４０では、レンズ３７２に対するホログラフィック光ディスク３５６に対するフォーカシングが赤色レーザー光を用いて行われる。具体的には、サーボ用光源３６４は、中心波長６５０ｎｍの赤色光ＲＬを発するＣＷレーザーである。サーボ用光源３６４から出射された赤色光ＲＬは、偏光ビームスプリッター３６５を通り、ミラー３６６で折り返され、λ／２板３６７を通り、回折ビームスプリッター３５４で反射され、アクチュエーター３５５に入射する。アクチュエーター３５５に入射した赤色光ＲＬは、レンズ３７２によって集光する前後で拡散し、前述のように緑色光ＧＬ１，ＧＬ２にとってレンズ３７２に対してホログラフィック光ディスク３５６が所定の離間距離に配置されていれば、ホログラフィック光ディスク３５６からは殆ど反射されない。一方、レンズ３７２に対するホログラフィック光ディスク３５６の離間距離が所定値からずれると、赤色光ＲＬがホログラフィック光ディスク３５６から反射され、反射された赤色光ＲＬがサーボ用光源３６４から出射され、ホログラフィック光ディスク３５６に照射された赤色光ＲＬと同じ進路を偏光ビームスプリッター３６５まで逆向きに進む。その後、赤色光ＲＬは偏光ビームスプリッター３６５によって反射され、フォトディテクタ３６８で受光される。フォトディテクタ３６８で受光された赤色光ＲＬの光強度に応じて、不図示のサーボ機構によってレンズ３７２に対するホログラフィック光ディスク３５６の離間距離が調整される。
【００２３】
照合時に、ホログラフィック光ディスク３５６から参照データと照合データとの光相関信号として出射される緑色光ＧＬ３は、ホログラフィック光ディスク３５６から偏光ビームスプリッター３５０まで、緑色光ＧＬ２と同じ進路を緑色光ＧＬ２とは逆向きに進む。緑色光ＧＬ３は、偏光ビームスプリッター３５０によって反射され、レンズ３６０を通り、ミラー３６１で折り返され、レンズ３６２を通って光電子増倍管やフォトディテクタ等の受光素子（相関度算出部）３６３で受光される。受光素子３６３には、受光した緑色光ＧＬ３の光強度に基づいて参照データと照合データとの相関度を算出するコンピュータ８１０が接続される。本実施形態において、受光素子３６３とコンピュータ８１０は、相関度算出部５０３として機能する。
【００２４】
コンピュータ（相関度補正部）８１０は、図２に示すようにホログラフィック光ディスク３５６の周方向Ｒ１において隣り合う参照用データの中心位置同士の離間距離ｄに応じた光相関信号の変化量を予め算出し、この変化量に基づいて参照データと照合データとの相関度を補正可能とすることが好ましい。
【００２５】
［光相関システムにおける記録と照合（光相関演算）の原理］
図２は、ホログラフィック光ディスク３５６に光演算用データが記録される様子を図１とは上下方向を逆にして示している。図２に示すように、ホログラフィック光ディスク３５６は、ガラス基板等からなる円盤状の基板６０１と、基板６０１の光照射側の表面６０１ａに積層された記録層６０２と、記録層６０２の光照射側の表面６０２ａに積層されたカバー層６０３と、を備える。ホログラフィック光ディスク３５６は、モーター等の不図示の回転機構によって、平面視の中心を回転軸Ｏとして周方向Ｒ１に沿って回転駆動される。
【００２６】
光演算用データの種類やサイズは特に限定されないが、光相関システム３４０に適用でき、ホログラフィック光ディスク３５６の大きさと特性に好適な大きさにする必要がある。本実施形態では、参照データ及び照合データとして、例えば240×180pixel2のサイズにリサイズされた画像を用いることができる。複数の参照データの画像のそれぞれは、元のサイズから240×180pixel2のサイズにリサイズされ、ホログラフィック光ディスク３５６への記録の前処理として、所定の特徴抽出を施される。
【００２７】
所定の特徴抽出では、前述のようにリサイズされた参照データがグレースケール化された後、エッジ抽出が行われる。この際、画像内の白の画素（すなわち、空間光変調器３４８で反射されてホログラフィック光ディスク３５６に記録される画素）が参照データの全画素数に対して約２０％になるように、ホワイトレートが調整される。
【００２８】
ホワイトレートの調整がなされたエッジ抽出後の参照データは、バイナリ化される。バイナリ化された参照データの各画素は、乱数を用いて作成されたアドレス情報に基づいて、全体として円形をなすように、新たに配置される。円形に配置された参照データは、物体光の情報として配置されていることになる。円形に配置された参照データの径方向外側には、周方向全周にわたり参照光の情報が配置される。したがって、空間光変調器３４８に前述の参照データ及び参照光が表示されると、空間光変調器３４８で反射される緑色光（データ光）ＧＬ１に対して、物体光と参照光の各情報が同時に付与される。
【００２９】
図２に示すように、ホログラフィック光ディスク３５６の記録層６０２において、レンズの集光作用によって緑色光ＧＬ１の物体光と参照光とが重なる部分が生じ、干渉縞Ｆが形成される。つまり、フーリエ変換された緑色光ＧＬ１の干渉縞Ｆをホログラフィック光ディスク３５６に記録することによって、光演算用データが空間周波数フィルターとしてホログラフィック光ディスク３５６に記録される。
【００３０】
ホログラフィック光ディスク３５６が回転軸Ｏを中心として周方向Ｒ１に回転駆動しつつ、複数の参照データの情報が付与された緑色光ＧＬ１が記録用光源３４１から出射される光パルスに合わせて時系列に順次、ホログラフィック光ディスク３５６の記録層６０２に照射される。したがって、ホログラフィック光ディスク３５６の記録層６０２には、周方向Ｒ１に沿って干渉縞Ｆが複数形成されている。記録層６０２において周方向Ｒ１で隣り合う光演算用データ同士の相関度は、０％以上５０％以下が好ましく、０％より大きく４０％以下であることがより好ましく、１０％以上３０％未満であることがさらに好ましい。
【００３１】
また、データベース部８００において、記録時における空間光変調器３４８への読み出し順に並べられる複数の参照データは、読み出し順前後の参照データ同士のデジタル照合による相関度に応じて、逐次並べ替えられることが好ましい。この際、上述のように、読み出し順前後の参照データ同士の相関度は、少なくとも０％以上５０％以下が好ましく、０％より大きく４０％以下であることがより好ましく、１０％以上３０％未満であることがさらに好ましい。
【００３２】
照合時は、図１に示す照合データ入力部８０５を介して入力された照合データに、前述の参照データと同様の前処理を施される。前処理された照合データは、前述の参照データと同様に、乱数を用いて作成されたアドレス情報に基づいて、全体として円形をなすように、新たに配置される。参照データとは異なり、円形に配置された照合データの径方向外側には、参照光の情報は配置されない。空間光変調器３４８に、前述の照合データが表示されると、空間光変調器３４８で反射される緑色光ＧＬ２に対して、物体光の情報が付与される。
【００３３】
図３に示すように、照合データに基づく物体光の情報が付与された緑色光ＧＬ２は、前述の記録時の緑色光ＧＬ１と同様に、レンズ３７２によって集光しつつ、ホログラフィック光ディスク３５６の記録層６０２の干渉縞Ｆに照射される。ホログラフィーの原理に基づくと、照合データが参照データと同一であれば、自己相関となり、干渉縞Ｆから参照光が再生される。また、参照データに対する照合データの相関度が高くなる程、強い参照光が再生される。ホログラフィック光ディスク３５６の干渉縞Ｆから再生される参照光は、前述した参照データと照合データとの光相関信号として出射される緑色光ＧＬ３である。
【００３４】
［光相関用データの記録方法］
本発明に係る一実施形態のホログラフィック光ディスク３５６への参照データの記録方法（光相関用データの記録方法）は、少なくともホログラフィック光ディスク３５６に複数の参照データ（光相関用データ）を光学的に順次記録する際に、記録前後の参照データ同士の相関度を低くする第１ステップ（ステップ）を備える。
【００３５】
ところで、上述の光相関システム３４０の照合速度は、参照データの転送速度Ｖによって決まり、次に示す（１）式によって表される。
【００３６】
【数１】
2019175524.tif 000003
【００３７】
なお、（１）式におけるＰは記録する参照データのデータサイズ［pixel］であり、Ｒは照合時のホログラフィック光ディスク３５６の回転速度［rpm］であり、ｄは図２に示したようにホログラフィック光ディスク３５６の周方向Ｒ１において隣り合う参照用データの干渉縞Ｆの中心位置同士の離間距離であり、ｒはホログラフィック光ディスク３５６の半径［ｍｍ］である。
【００３８】
光相関システム３４０の照合速度の高速化を図る方法として、（１）式からわかるよう参照データの記録密度を高くする、すなわち干渉縞Ｆの中心位置同士の離間距離ｄを短くすることが挙げられる。ただし、離間間隔ｄを短くすると、光相関信号間のクロストークによる影響が大きくなり、ホログラフィック光ディスク３５６の周方向Ｒ１において隣り合う参照用データの光相関信号のbottom to peak値（以下、ｂ−ｐ値と記載する）が低下することがある。
【００３９】
そこで、図４に示すように、本実施形態の参照データの記録方法では、第１ステップのようにデータベース部８００から空間光変調器３４８に読み出す順番の前後の参照データ同士の相関度を少なくとも０％以上５０％以下とし、前述の順番に従って順次読み出された参照データの情報を付与されたデータ光によってホログラフィック光ディスク３５６の周方向Ｒ１に干渉縞Ｆを形成し、光演算用データを前述の相関度に合った離間距離ｄでホログラフィック光ディスク３５６の記録層６０２に記録する第２ステップとを備える。
【００４０】
第１ステップでは、図４に示すように、例えばデータベース化の対象の動画を所定の時間フレームごとに切り出した参照データ（または参照データ群）を用意する。
【００４１】
一般に、時間フレームごとに切り出したままの順番では、並び順前後で互いに相関の高い参照データが配置される。つまり、参照データＡ１と参照データＡ２との相関度は５０％より高くなっていることが多い。このような順番のまま空間光変調器３４８に読み出して参照データＡ１，Ａ２，…，Ｂ１，Ｂ２をホログラフィック光ディスク３５６の記録層６０２に記録し、照合すると、互いに相関の高いデータが続く部分では高い光強度の光相関信号同士が時間軸上で近寄ることでｂ−ｐ値が低下する。
【００４２】
上述のことをふまえ、第１ステップでは、隣り合う参照データ同士の相関度が少なくとも低く、例えば５０％以下になるように複数の参照データを並び替える。なお、ｂ−ｐ値の低下を抑える点から、隣り合う参照データ同士の相関度は０％以上５０％以下が好ましく、０％より大きく４０％以下であることがより好ましく、１０％以上３０％未満であることがさらに好ましい。このように相関度をふまえた参照データを並び替えを行うために、データベース部８００において、読み出し順前後の参照データ同士のデジタル照合による相関度に応じて、複数の参照データを逐次並べ替えてもよい。
【００４３】
具体例として、以下の条件により光相関システム３４０にて取得した光相関信号の光強度分布を用いて、光相関信号をモデル化し、コンピュータ上でのb−ｐ値についてシミュレーションを行った。
＜条件＞
＊記録レーザーパワー：４．３９μJ
＊ホログラフィック光ディスク３５６の半径：４２．５ｍｍ
＊記録間隔（離間間隔ｄ）：４１．２μｍ
＊記録時波長：５３２ｎｍ
＊参照画像サイズ：１８０×２４０ｐｉｘｅｌ
なお、本シミュレーションでは、図３に示すように再生された参照光の進路上に、直線で図示した折り返し用のミラーを配置し、再生された参照光のみを受光すると想定した。
【００４４】
上述の条件をふまえ、シミュレーション時には光相関信号の光強度分布をガウス二項近似を用いたモデル化し、離間間隔ｄ及びホログラフィック光ディスク３５６への記録時に隣り合う参照データ同士の相関度に応じた光相関信号の平均値を算出し、評価した。図５に示すように、記録時に隣り合う参照データ同士の相関度が２０％以下である場合、隣り合う参照データ同士の離間距離ｄに対する光相関信号の強度平均の変化は略同様の傾向になった。このように記録時に隣り合う参照データ同士の相関度が２０％以下というように低い場合、図４（右下）の模式的なグラフに示すように、時間軸上で隣り合う光相関信号の低下の影響が少なく、光相関信号の平均値が高くなり、とても高いｂ−ｐ値及び照合時の精度が達成されると考えられる。記録時に隣り合う参照データ同士の相関度が３０％以上５０％以下である場合についても、離間距離ｄが約０．５μｍ以上１．５μｍ以下において光相関信号の平均値が記録時に隣り合う参照データ同士の相関度が３０％以上である場合に比べて比較的高くなり、高いｂ−ｐ値及び照合時の精度が達成されると考えられる。また、図５に示すように、離間間隔ｄが３μｍ以上になると、参照データ同士の離間距離が光相関信号の低下に影響しない程度に大きくなり、光相関信号の平均値も殆ど変化しない。すなわち、上述の条件では、隣り合う参照データ同士の相関度は０％以上５０％以下が好ましく、０％より大きく４０％以下であることがより好ましく、１０％以上３０％未満であることがさらに好ましいといえる。また、離間距離ｄは、０．８μｍ以上３．０μｍ以下であって、（離間距離ｄ［μｍ］／記録時波長［μｍ］）の係数では訳１．５０以上５．６４以下であることが好ましい。前述の離間距離ｄの範囲において、良好なｂ−ｐ値及び照合時の精度が達成されると考えられる。
【００４５】
また、上述のように光相関システム３４０のパラメータと参照データ及び照合データがあらかじめわかれば、光相関信号の数値シミュレーションが可能である。そのため、コンピュータ８１０において、ホログラフィック光ディスク３５６の周方向Ｒ１において隣り合う参照用データの干渉縞Ｆの中心位置同士の離間距離ｄに応じた光相関信号の変化量を予め算出し、この変化量に基づいて参照データと照合データとの相関度を補正可能とすることが好ましい。
【００４６】
以上説明したように、本実施形態の光相関システム３４０は、上述の複数の参照データが光学的に記録されたホログラフィック光ディスク３５６を有する記録照合部５０１と、参照データと照合データとの光相関演算を行い、参照データと照合データとの相関度に応じた光相関信号を生成する光相関演算部５０２と、光相関信号を受光し、参照データと照合データとの相関度を算出する相関度算出部５０３と、を備える。本実施形態の光相関システム３４０は、ホログラフィック光ディスク３５６において隣り合う参照データ同士の相関度が低いことを特徴とする。
光相関システム３４０によれば、隣り合う参照データ同士の相関度が低いので、離間距離ｄを短くしても、隣り合う参照データ同士のうち一方の参照データの高い光相関信号が他方の参照データの高い光相関信号を低下させるのを抑えることができる。すなわち、離間距離ｄを短くし、（１）式に基づいて記録照合部５０１に記録される参照データの高密度化及び光相関システム３４０の照合速度の高速化を図ることができる。同時に、光相関信号のｂ−ｐ値を高く保持し、参照データの高密度化及び光相関システム３４０の照合速度の高速化と光相関演算の精度の確保とを両立できる。
【００４７】
光相関システム３４０において、記録照合部５０１は、参照データの情報を含むデータ光と参照光とを集光させてホログラフィック光ディスク３５６に照射するレンズ３７２を有する。
レンズ３７２を有することによって、データ光と参照光とを含む緑色光ＧＬ１がホログラフィック光ディスク３５６の記録層６０２に集光しつつフーリエ変換され、複数の参照データを高密度かつホログラフィックに記録できる。
【００４８】
光相関システム３４０において、相関度算出部５０３は、ホログラフィック光ディスク３５６において隣り合う参照データの干渉縞Ｆの中心位置同士の離間距離ｄに応じた光相関信号の変化量を予め算出し、光相関信号の変化量に基づいて参照データと照合データとの相関度を補正するコンピュータ８１０をさらに有する。
コンピュータ８１０で参照データと照合データとの相関度を補正することによって、離間距離ｄをさらに短くしたときに高い光相関信号同士が時間軸上で近づいて光相関信号のｂ−ｐ値が低下しても、予め算出した光相関信号の変化量（低下量）を用いて光相関信号を補正し、参照データと照合データとの相関度を補正できる。このことによって、コンピュータ８１０（すなわち、相関度補正部）を有さない場合に比べて、離間距離ｄをより一層短くし、参照データの高密度化及び光相関システム３４０の照合速度の高速化を促進できる。
【００４９】
光相関システム３４０において、複数の参照データが記録照合部５０１へ読み出される順に並べられたデータベース部８００をさらに備え、データベース部８００において、順次並べられた複数の参照データの前後の（すなわち、並べ順において隣り合った）参照データ同士のデジタル照合による相関度に応じて、複数の参照データが逐次並べ替えられる。
データベース部８００が設けられると共に、データベース部８００における参照データの並べ替えがなされることによって、空間光変調器３４８に表示される複数の参照データの表示順で隣り合う参照データ同士の相関度を適宜低くし、参照データの高密度化及び光相関システム３４０の照合速度の高速化と光相関演算の精度の確保とを効率よく両立できる。
【００５０】
なお、光相関システム３４０では、ホログラフィック光ディスク３５６において隣り合う参照データ（すなわち、データベース部８００において空間光変調器３４８に表示する順に配列され、配列順において隣り合う参照データ）は、互いに異なるコンテンツ由来のデータとしてもよい。このような構成によれば、隣り合う参照データ同士の相関度を低くし、複数の参照データの高密度化を実現し、光相関システム３４０の照合速度の高速化と光相関演算の精度の確保とを両立できる。
【００５１】
また、光相関システム３４０では、ホログラフィック光ディスク３５６において隣り合う参照データ（すなわち、データベース部８００において空間光変調器３４８に表示する順に配列され、配列順において隣り合う参照データ）は、互いに異なる特徴量抽出器を用いて抽出されたデータとしてもよい。このような構成においても、隣り合う参照データ同士の相関度を低くし、複数の参照データの高密度化を実現し、光相関システム３４０の照合速度の高速化と光相関演算の精度の確保とを両立できる。
【００５２】
また、本実施形態の参照データの記録方法は、ホログラフィック光ディスク３５６に複数の参照データを光学的に順次記録する際に、記録順の前後の参照データ同士の相関度を低くする第１ステップを備える。
本実施形態の参照データの記録方法によれば、光相関システム３４０において、記録順の前後の参照データ同士の相関度を低くするので、離間距離ｄを短くしても、隣り合う参照データ同士のうち一方の参照データの高い光相関信号が他方の参照データの高い光相関信号を低下させるのを抑えることができる。すなわち、参照データの高密度化及び光相関システム３４０の照合速度の高速化と光相関演算の精度の確保とを両立できる。
【００５３】
なお、上述の光相関システム３４０を光相関器としてパターン識別装置や各種認証装置に適用できる。例えば、特許文献１には、学習処理を行う学習手段１００、光記憶部に特徴抽出部、光演算用データ生成部を介してデータ登録処理を行う登録手段２００、光演算用データ変換部３１０、光演算用特徴ベクトル光記憶部３２０を保持し、相関度計算３３０を行う光演算手段３００、および識別対象データから特徴量を抽出する特徴抽出部２２０、光演算用データ変換部３１０を介して相関度計算３３０を行う識別処理を行う識別手段４００から構成されたパターン識別装置１が開示されている。パターン識別装置１に対し、光相関器（光相関システム）３４０Ｓとして上述の光相関システム３４０を活用できる。
【００５４】
以上、本発明の好ましい実施形態について詳述したが、本発明は係る特定の実施形態に限定されるものではなく、特許請求の範囲内に記載された本発明の要旨の範囲内において、種々の変形・変更が可能である。
【００５５】
例えば、上述の実施形態では、光相関システム３４０の記録媒体として回転駆動される円盤状のホログラフィック光ディスク３５６である説明したが、本発明に係る光相関システムの記録媒体は、複数の光演算用データが所定の方向に沿って異なる位置に記録可能であれば、その種類や構成は限定されない。例えば、立方形状を有する記録媒体を用いてもよい。
【符号の説明】
【００５６】
３４０・・・光相関システム
３４０Ｓ・・・光相関器（光相関システム）
３５６・・・ホログラフィック光ディスク
３７２・・・レンズ
５０１・・・記憶部
５０２・・・光相関演算部
５０３・・・相関度算出部
８００・・・データベース部
８１０・・・コンピュータ（相関度補正部）
ｄ・・・離間距離
【図１】
2019175524.tif 000004
【図２】
2019175524.tif 000005
【図３】
2019175524.tif 000006
【図４】
2019175524.tif 000007
【図５】
2019175524.tif 000008
【図６】
2019175524.tif 000009